(57)【特許請求の範囲】
【請求項１】
用紙束を挟持する挟持手段と、挟持手段により挟持した用紙束の背に熱溶融させた接着剤を塗布する接着剤塗布手段と、接着剤塗布手段を制御する制御手段を備え、
接着剤塗布手段が塗布ユニットと塗布ユニットを用紙束の背に沿って移動させる塗布ユニット駆動装置とからなり、
塗布ユニットが接着剤を貯留する接着剤溜と、接着剤溜の接着剤を加熱する加熱手段と、接着剤溜の接着剤の温度を測定する温度測定手段と、接着剤に一部が浸漬するように配置する塗布ローラと、塗布ローラを回転駆動する塗布ローラ回転モータを有し、制御手段が接着剤の粘度の適否を判定する粘度判定手段を有し、
制御手段による接着剤塗布手段の制御において、加熱手段により接着剤溜の接着剤を塗布に適する所定の塗布温度に昇温させる間に、温度測定手段で測定する接着剤の温度が所定のウォームアップ温度に達した時に塗布ローラによる第１の攪拌制御を行い、粘度判定手段が接着剤の粘度を適合と判定した時に、塗布ローラによる第２の攪拌制御を行うことを特徴とする製本装置。
【請求項２】
粘度判定手段は、塗布ローラもしくは塗布ローラ回転モータにおける回転数、トルクおよび塗布ローラ回転モータにおける消費電流の少なくとも何れか１つを検出する塗布ローラ回転状態検出器の検出値を指標として接着剤の粘度の適否を判定することを特徴とする請求項１に記載の製本装置。
【請求項３】
塗布ローラ回転状態検出器は、固定部材に装着する光センサーと、塗布ローラもしくは塗布ローラ回転モータの回転軸と一体に回転して光センサーの光軸を遮光可能な遮光板とからなり、光センサーの信号に基づいて塗布ローラもしくは塗布ローラ回転モータの回転数を検出するものであり、粘度判定手段は、塗布ローラもしくは塗布ローラ回転モータの回転数が所定回転数に達した時に、接着剤の粘度を適合と判定して塗布ローラによる第２の攪拌制御を行うことを特徴とする請求項２に記載の製本装置。
【請求項４】
塗布ローラ回転状態検出器は、固定部材に装着する光センサーと、塗布ローラもしくは塗布ローラ回転モータの回転軸と一体に回転して光センサーの光軸を遮光可能な遮光板とからなり、光センサーの信号に基づいて塗布ローラもしくは塗布ローラ回転モータの回転数を検出し、かつ光センサーの信号におけるパルス幅を計測し、粘度判定手段は、塗布ローラもしくは塗布ローラ回転モータの回転数が所定回転数に達し、かつパルス幅が所定範囲内にある時に、接着剤の粘度を適合と判定して塗布ローラによる第２の攪拌制御を行うことを特徴とする請求項２に記載の製本装置。
【請求項５】
塗布ローラ回転状態検出器は、塗布ローラ回転モータの消費電流を検出する消費電流検出手段からなり、粘度判定手段は、消費電流検出手段で検出する消費電流が所定値以下になった時に、接着剤の粘度を適合と判定して塗布ローラによる第２の攪拌制御を行うことを特徴とする請求項２に記載の製本装置。
【請求項６】
第１の攪拌制御および第２の攪拌制御は、塗布ローラ回転モータにより回転駆動する塗布ローラの回転数、トルクの少なくとも何れかを制御量とし、第１の攪拌制御と第２の攪拌制御とにおいて制御量の目標値が異なることを特徴とする請求項１〜５の何れか１項に記載の製本装置。
【請求項７】
塗布ローラのトルクの制御は、塗布ローラ回転モータへ加える印加エネルギーのパルス条件を可変制御して行うことを特徴とする請求項６に記載の製本装置。
【発明の詳細な説明】
【技術分野】
【０００１】
本発明は製本装置に関し、用紙束の一側縁に熱溶融させた固形の接着剤を塗布し、用紙束に表紙をくるみ製本する技術、および糊塗布のみを行う天のり製本に係るものである。
【背景技術】
【０００２】
この種の製本装置としては、例えば以下に説明するものがある。
（全体構成）
図１６〜図１８において、製本装置１は、本体ケーシング２の内部に接着剤塗布手段をなす塗布ユニット３、脱臭ユニット４、表紙圧着手段をなす圧着ユニット５を配置しており、本体ケーシング２の上部に用紙束６を挟持する挟持手段をなすクランプ部７と、接着剤供給ユニット９のホッパー１０とを配置しており、ホッパー１０に熱可塑性樹脂からなる粒状のホットメルト接着剤を貯留する。
【０００３】
本体ケーシング２の前部にはクランプ部７の操作ノブ１１と、用紙束６の表紙１２（図２４および２５参照）を配置する表紙台１３と、製本操作の操作部１４とを配置し、側部にメインスイッチ１５を配置している。前部下方には前扉１６を揺動開閉自在に配置し、前扉１６の内側に製本した用紙束６を排出するシューター１７（図２４および図２５参照）を設けている。
【０００４】
操作部１４には各種の情報を表示する液晶表示部１８と、製本操作の開始を指示するスタートボタン１９と、製本操作の終了を指示するストップ／電源切ボタン２０と、天糊製本とくるみ製本を選択指示する選択ボタン２１、２２と、天糊製本とくるみ製本のどちらを初期設定とするかを切り替え指示する設定ボタン２３を配置している。
（クランプ部）
図１９〜図２１に示すように、クランプ部７は前後一対の平行な前フレーム２４、後フレーム２５で支持して配置しており、本体ケーシング２の上部開口２６から一部が外部へ突出する固定クランプ２７と可動クランプ２８を備え、固定クランプ２７および可動クランプ２８のそれぞれに用紙束保持部材２９を取外し可能に設けている。
【０００５】
可動クランプ２８を挟持開放する操作機構は、固定クランプ２７に対して可動クランプ２８を接近離間自在に保持するガイドシャフト３０を可動クランプ２８の両側位置に配置し、ガイドシャフト３０の両端を前後のフレーム２４、２５に固定している。各ガイドシャフト３０の側部にはそれぞれネジシャフト３１を配置し、ネジシャフト３１の両端を前後のフレーム２４、２５に軸心回りに回転自在に保持しており、ネジシャフト３１に螺合してネジシャフト３１の軸心方向に移動する保持部３２を可動クランプ２８に固定している。
【０００６】
双方のネジシャフト３１には同期ベルト３３を掛け渡しており、操作ノブ１１のシャフト３４と一方のネジシャフト３１の間には伝達ベルト３５を掛け渡している。操作機構は固定クランプ２７と可動クランプ２８の間に用紙束６を挟持した状態で固定クランプ２７と可動クランプ２８の相対位置（距離）に基づいて用紙束厚を検知する用紙束厚センサ３６（詳細省略図２３参照）を有している。
（塗布ユニット）
図２１に示すように、塗布ユニット３は本体ケーシング２の前側に設けた走行ローラ３８が前フレーム２４のレール３９を走行し、本体ケーシング２の後側に設けた案内部４０が後フレーム２５に設けたレールシャフト４１を摺動することで、モーター等の駆動装置を有する塗布ユニット駆動装置４２（詳細省略図２３参照）によってレール３９およびレールシャフト４１に案内されながら前後フレーム２４、２５の軸心方向に往復駆動される。塗布ユニット３は待機位置ではクランプ部７の側端よりも外側に位置しており、最大移動位置において接着剤供給ユニット９に対応する。接着剤供給ユニット９はホッパー１０に貯留する粒状の接着剤の所定量を塗布ユニット３に排出する。
【０００７】
塗布ユニット３は接着剤供給ユニット９から供給するホットメルト接着剤を貯留する接着剤溜４３と、溶融した接着剤に一部が浸漬するように配置する塗布ローラ４４と、塗布ローラ４４を支持する回転軸４５と、回転軸４５を駆動する塗布ローラ回転モータ４６と、固定部材４７に装着した加熱手段としての電磁誘導コイル４８とを有している。
【０００８】
接着剤溜４３は容器本体４９が熱伝導性に優れた非強磁性体であるアルミニウムからなり、底面に強磁性体の加熱板５０を設けている。前フレーム２４もしくは後フレーム２５には接着剤溜４３の各停止位置を検知する接着剤溜位置センサ５１（詳細省略図２３参照）を設けている。
（圧着ユニット）
図１８および図２２に示すように、圧着ユニット５はモーター等の駆動装置を有する圧着ユニット駆動装置５２（詳細省略図２３参照）によって上下、前後に移動する基部５３と、基部５３に固定した固定板５４と、固定板５４に固定配置した押え部５５と、固定板５４の上で押え部５５に対して接近離間する可動板５６と、可動板５６を駆動するモーター等の駆動装置を有して表紙圧着駆動手段をなす可動板駆動装置５７（詳細省略図２３参照）との間に介装する圧着力制御装置５８とを有しており、図２５に示すように、表紙台１３および可動シューター５９が一体的に移動する。本体ケーシング２の内部には圧着ユニット５の各停止位置を検知する圧着ユニット位置センサ６０（詳細省略図２３参照）を設けている。
【０００９】
圧着力制御装置５８は可動板５６の一端に固定した固定ブロック６１と、固定ブロック６１で一端を支持する連結シャフト６２と、連結シャフト６２に軸心方向へ移動自在に装着し、固定ブロック６１に対して接近離間する可動ブロック６３と、固定ブロック６１と可動ブロック６３の間に介装して連結シャフト６２に装着し、両者を離間する方向に付勢するスプリング６４とを有する。脱臭ユニット４は塗布ユニット３の接着剤溜４３や塗布ローラ４４から揮発する接着剤を吸引してフィルターで吸着するものである。
（制御部）
図２３に示すように、製本装置１は、製本操作を制御する制御部６５、装置内部の雰囲気温度もしくは室内温度を測定する温度測定手段をなす温度センサ６６を本体ケーシング２の内部に配置しており、制御部６５に用紙束厚センサ３６、接着剤溜位置センサ５１、圧着ユニット位置センサ６０、温度センサ６６、操作部１４、塗布ユニット駆動装置４２、圧着ユニット駆動装置５２、可動板駆動装置５７、クランプ駆動装置３７を接続している。
【００１０】
また、制御部６５は用紙束６に対する接着剤の塗布を完了した後に経過時間を計測する経過時間計測手段をなすタイマー６７と、タイマー６７により計測した経過時間が挟持必要時間に達したときに操作部１４の液晶表示部１８に「取出して下さい」の表示を指示する信号を出力する信号出力手段をなす信号出力回路６８を備えている。液晶表示部１８は挟持必要時間に基づく情報を報知する報知手段をなすものであり、表示内容は種々のものが設定可能で、開放可能までの時間をカウントダウン表示した後に「取出して下さい」と表示することも可能である。また、報知手段は液晶表示部１８に限らず、ブザーによって構成することも可能である。
【００１１】
信号出力回路６８は操作ノブ１１による駆動に代えてクランプ駆動装置３７によって可動クランプ２８を駆動する場合にはクランプ駆動装置３７に用紙束６の開放操作を指示する信号を出力する。
【００１２】
挟持必要時間、圧着必要時間は、接着剤の種類、用紙束６の厚み、接着剤の塗布量、使用環境の温度によって異なる。このため、挟持時間制御手段および圧着時間制御手段をなす制御部６５は予め入力した使用接着剤毎のデータに基づいて、用紙束６の厚み、接着剤の塗布量、使用環境の温度を指標として挟持必要時間、圧着必要時間を選択設定する。
【００１３】
例えば、用紙束６の厚みが大きいほどに長く、接着剤の塗布量が多いほどに長く、使用環境の温度が高いほどに長くする。この挟持必要時間、圧着必要時間の選択設定に必要なデータは、用紙束の厚み６、接着剤の塗布量、使用環境の温度と挟持必要時間との相関を予め実験によって求め、得られたデータを制御部６５に格納する。
【００１４】
温度を指標とする挟持必要時間、圧着必要時間の選択設定は製本装置１の設置初期時に温度センサ６６で検知する温度を指標として固定設定するか、製本時の都度に温度センサ６６で検知する温度を指標として挟持必要時間、圧着必要時間を選択設定する。
【特許文献１】特開２００５−２３８５２６号公報
【発明の開示】
【発明が解決しようとする課題】
【００１５】
以下に上記の製本装置における作用およびその課題を説明する。
（待機工程）
待機工程では、図２４の（ａ）に示すように、初期状態において塗布ユニット３は待機位置にあり、電磁誘導コイル４８の上方に接着剤溜４３が対応している。次に、デフォルト値において天糊製本とくるみ製本の何れかに設定されている製本モードを、希望の製本モードに選択ボタン２１、２２の何れかをＯＮ操作することで切り替える。製本モードのデフォルト値は設定ボタン２３の操作によって切り替える。
【００１６】
この状態でメインスイッチ１５のＯＮ操作を受けると制御部６５は、製本操作に先立って塗布ユニット３の電磁誘導コイル４８に通電し、加熱板５０を発熱させて接着剤溜４３に貯留した接着剤を加熱して熱溶解させ、塗布ローラ回転モータ４６で塗布ローラ４４を回転させて待機状態となる。
（揃え工程）
次に、図２４の（ｂ）に示すように、スタートボタン１９のＯＮ操作を受けると制御部６５は圧着ユニット駆動装置５２を駆動させて圧着ユニット５をクランプ部７の下方の上位の所定位置にまで上昇させ、圧着ユニット５の固定板５４をクランプ部７の固定クランプ２７および可動クランプ２８の下端との間に所定間隙をあけて配置する。
【００１７】
この状態で、用紙束６を双方の用紙束保持部材２９の間および固定クランプ２７と可動クランプ２８の間に挿入し、用紙束６の一側辺を固定板５４で揃える。
（クランプ工程）
次に、操作ノブ１１を回転操作し、シャフト３４の回転力を伝達ベルト３５を介してネジシャフト３１に伝達し、同期ベルト３３を介して双方のネジシャフト３１を同期駆動し、ネジシャフト３１に螺合する保持部３２を移動させる。保持部３２の移動に伴って可動クランプ２８が固定クランプ２７に接近し、用紙束６を可動クランプ２８と固定クランプ２７の間に挟持する。
（糊付け工程）
次に、図２４の（ｃ）に示すように、用紙束６の挟持が完了した後に、再度のスタートボタン１９のＯＮ操作を受けると制御部６５は圧着ユニット駆動装置５２を駆動させて圧着ユニット５を下位の所定位置まで降下させる。
【００１８】
くるみ製本を行う場合に制御部６５は、表紙台１３に表紙１２を載置して再度のスタートボタン１９のＯＮ操作を受けるまで待機して後に糊付け操作に入り、天糊製本を行う場合には再度のスタートボタン１９のＯＮ操作を受けずに糊付け操作に入る。
【００１９】
この糊付け操作において制御部６５は、塗布ユニット駆動装置４２を駆動して塗布ユニット３をレール３９およびレールシャフト４１に沿って往復移動させながら、塗布ローラ４４の回転によって接着剤溜４３の接着剤を用紙束６の背に往路と復路の両方で塗布する。
【００２０】
このとき、用紙束厚センサ３６によって検知した用紙束厚に応じて接着剤の塗布量を変更する。用紙束厚が厚い場合には塗布ローラ４４を速く回転させることで塗布量を多くし、用紙束厚が薄い場合には塗布ローラ４４を遅く回転させることで塗布量を少なくする。
（天糊製本工程）
天糊製本を行う場合には、制御部６５は、図２４の（ｄ）に示すように塗布ユニット３が待機位置に戻った状態で、タイマー回路６７で用紙束６に対する接着剤の塗布を完了した後の経過時間を計測する。このとき、図２５の（ｃ）に示すように、可動シューター５９がシューター１７に対応する位置まで圧着ユニット５が表紙台１３および可動シューター５９と一体的に後退している。
【００２１】
制御部６５は温度センサ６６で計測する温度を使用環境の温度条件として、予め格納したデータの中から挟持必要時間を選択設定し、検知した温度が基準温度より高い時は基準温度における基準挟持必要時間よりも挟持必要時間を長く設定し、検知した温度が基準温度より低い時は基準温度における基準挟持必要時間よりも挟持必要時間を短く設定する。また、挟持必要時間は用紙束６の厚みが大きいほどに長く、接着剤の塗布量が多いほどに長く設定する。
（排出工程）
制御部６５は経過時間が挟持必要時間に達すると、信号出力回路６８から操作部１４の液晶表示部１８に「取出して下さい」等の製本完了を通知する文言の表示を指示する信号を出力する。操作者は液晶表示部１８に表示された製本完了の文言を確認後に、操作ノブ１１を操作して可動クランプ２８を固定クランプ２７から離間させる。
【００２２】
この操作によって図２５の（ｃ）に示すように、製本された表紙１２を伴う用紙束６がクランプ部７から落下し、可動シューター５９およびシューター１７を通して排出される。クランプ駆動装置３７を設ける場合には、信号出力回路６８の信号を受けてクランプ駆動装置３７が可動クランプ２８を移動させてクランプ部７を開放することで製本を排出する。
（くるみ製本工程）
くるみ製本を行う場合には、図２４の（ｄ）に示すように塗布ユニット３が待機位置に戻ると、制御部６５は図２４の（ｅ）に示すように、圧着ユニット駆動装置５２を駆動させて圧着ユニット５を上位の所定位置まで上昇させ、表紙台１３に載せた表紙１２を固定板５４で用紙束６の背に押圧する。
【００２３】
次に、図２４の（ｆ）、図２２の（ａ）、（ｂ）に示すように、制御部６５は可動板駆動装置５７を駆動して可動板５６を押え部５５に向けて押圧し、可動板５６と押え部５５の間で表紙１２および用紙束６を圧着して、図２４の（ｇ）に示すように製本する。
【００２４】
このとき、圧着ユニット駆動装置５２の押圧力は可動ブロック６３からスプリング６４を介して固定ブロック６１に伝わり、用紙束６の厚みにかかわらず可動板５６の押圧力が等しくなる。
【００２５】
図２５の（ａ）に示すように、制御部６５は固定板５４で用紙束６の背に表紙１２を押圧し、可動板５６と押え部５５の間で表紙１２および用紙束６を圧着する状態を継続し、タイマー回路６７で用紙束６に対する接着剤の塗布を完了した後の経過時間を計測する。
【００２６】
制御部６５は温度センサ６６で計測する温度を使用環境の温度条件として、予め格納したデータの中から、接着剤の塗布を完了した後に表紙１２の圧着状態を維持する圧着必要時間を選択設定する。この圧着必要時間はくるみ製本における表紙１２の圧着時間であるが、前述した挟持必要時間を含む時間として設定し、検知した温度が基準温度より高い時は基準温度における基準圧着必要時間よりも圧着必要時間を長く設定し、検知した温度が基準温度より低い時は基準温度における基準圧着必要時間よりも圧着必要時間を短く設定する。また、圧着必要時間は用紙束６の厚みが大きいほどに長く、接着剤の塗布量が多いほどに長く設定する。
【００２７】
制御部６５は経過時間が圧着必要時間に達すると、図２５の（ｂ）に示すように、可動板駆動装置５７を駆動して可動板５６を後退させて圧着状態を開放し、圧着ユニット駆動装置５２を駆動させて圧着ユニット５を表紙台１３および可動シューター５９と一体的に下位の所定位置まで降下させ、続いて図２５の（ｃ）に示すように、圧着ユニット５を表紙台１３および可動シューター５９と一体的に所定位置まで後退させて可動シューター５９をシューター１７に対応させる。
（排出工程）
次に、制御部６５は信号出力回路６８から操作部１４の液晶表示部１８に「取出して下さい」等の製本完了を通知する文言の表示を指示する信号を出力する。
操作者は液晶表示部１８に表示された製本完了の文言を確認後に、操作ノブ１１を操作して可動クランプ２８を固定クランプ２７から離間させる。
【００２８】
この操作によって図２５の（ｄ）に示すように、製本された表紙１２を伴う用紙束６がクランプ部７から落下し、可動シューター５９およびシューター１７を通して排出される。クランプ駆動装置３７を設ける場合には、信号出力回路６８の信号を受けてクランプ駆動装置３７が可動クランプ２８を移動させてクランプ部７を開放することで製本を排出する。
（待機工程の課題）
待機工程では、メインスイッチ１５のＯＮ操作を受けると制御部６５が、製本操作に先立って塗布ユニット３の電磁誘導コイル４８に通電し、加熱板５０を発熱させて接着剤溜４３に貯留した接着剤を加熱して熱溶解させ、塗布ローラ回転モータ４６で塗布ローラ４４を回転させて待機状態となる。
【００２９】
しかし、接着剤はその温度がまだ所定温度にまで達していない状態では粘度が非常に高く、この状態で塗布ローラ４４を連続回転させて接着剤を攪拌すると、接着剤が塊状のままで塗布ローラ４４とともに回転し、接着剤が周囲に飛散する等の問題がある。
【００３０】
ところで、接着剤溜４３の接着剤は、等時間の通電を行なって加熱しても、常に同状態に熱溶解するとは限らず、センサーで検出する検知温度が常に同温度に昇温するとは限らない。これには幾つかの要因がある。
【００３１】
例えば、接着剤溜４３の接着剤の温度を検出するセンサーの位置である。接着剤溜４３における接着剤量は増減を繰り返すので、接着剤の温度を直接に測定する場合には検知温度に誤差が生じ易くなる。
【００３２】
しかし、接着剤の温度として接着剤溜４３の壁体の温度を測定する場合にも問題がある。同型機器であっても、製造工程における部品の加工精度および組み立て精度のばらつきに起因して加熱効率およびセンサーの感度が機器毎に微小に異なる場合がある。
【００３３】
接着剤溜４３の接着剤は全体が一様に昇温することはなく、接着剤溜４３の壁面に近いほどに熱が伝わり易く、接着剤溜４３の壁面から遠ざかるほどに熱が伝わり難くなる。一方、接着剤溜４３の壁体は熱伝導が優れている。
【００３４】
このため、機器の加熱効率が優れているほどに、接着剤溜４３の壁体は全体が一様に、かつ早期に昇温してセンサーの検知温度が設定温度に達するまでの時間が短くなり、加熱時間が短くなる。このため、接着剤溜４３の壁面に近い領域と壁面から遠い領域とで接着剤の温度差が大きくなり、接着剤全体として見ると最低限必要な温度に達していない領域が存在するおそれがある。
【００３５】
加熱効率が劣っているほどに、センサーの検知温度が設定温度に達するまでの時間が長くなり、加熱時間が過剰に長くなり、待機工程の時間が長くなる。
センサーの感度が優れているほどに、センサーの検知温度が設定温度に達するまでの時間が短くなり、加熱時間が短くなる。このため、接着剤溜４３の壁面に近い領域と壁面から遠い領域とで接着剤の温度差が大きくなり、接着剤全体として見ると最低限必要な温度に達していない領域が存在するおそれがある。
【００３６】
センサーの感度が劣っているほどに、センサーの検知温度が設定温度に達するまでの時間が長くなり、加熱時間が過剰に長くなり、待機工程の時間が長くなるとともに、加熱し過ぎて接着剤を劣化させるおそれがある。
【００３７】
このような、組み立て精度のばらつきに起因する加熱効率およびセンサーの感度を考慮して、組み立て時に加熱手段の出力を調整する方法も考えられる。しかし、調整手段を設けるコストや、調整する手間もかかってしまう。
【００３８】
さらに、加熱時間が長くなり待機工程の時間が長くなると接着剤を劣化させるおそれがあるが、劣化した接着剤は劣化前の接着剤と比べて、同温度での粘度が高くなってしまう特性をもつため、センサーの検知温度が設定温度に達しても、粘度があまり低くなっていないおそれがある。
【００３９】
また、環境条件として冬季と夏季では室内の常温となる温度が異なるために加熱時にロスとなる熱量が異なり、等時間の通電を行なって加熱しても、冬季と夏季では同状態に熱溶解するとは限らない。
【００４０】
また、接着剤溜４３における熱伝導の不均一や、温度測定点における温度だけでは接着剤全体の温度を正確に捉える指標とはならず、温度情報と接着剤の状態とが一致しない場合がある。さらに、接着剤の経時変化により経時変化前後では等温度下で粘度が異なるので、同じ攪拌動作を行なっても常に同じ溶解状態を実現することが困難である。
【００４１】
ここで、接着剤の粘度と塗布ローラ４４の回転数とトルクの相関を考える。接着剤の粘度が一定である条件の下で塗布ローラ４４を回転させる場合に、塗布ローラ４４の回転数が増加するほどに、つまり接着剤中での塗布ローラ４４の移動速度が速くなるほどに抵抗が大きくなり、その回転数で回転させるための必要トルクが増加する。逆に、塗布ローラ４４に加えるトルクが増加するほどに回転数が増加する。
【００４２】
回転数を一定とする条件の下で塗布ローラ４４を回転させる場合に、接着剤の粘度が高いほどに、その回転数で回転させるための必要トルクが増加し、接着剤の粘度が低いほどに、その回転数で回転させるための必要トルクが減少する。
【００４３】
塗布ローラ４４に加えるトルクを一定とする条件の下で塗布ローラ４４を回転させる場合に、接着剤の粘度が高いほどに回転数が減少し、接着剤の粘度が低いほどに回転数が増加する。
【００４４】
したがって、温度によって粘度が変化し、その粘度をリアルタイムに測定することが困難な接着剤を、その粘度に適した回転数で塗布ローラ４４を回転させて攪拌することは困難である。
【００４５】
一方、塗布ローラ４４の回転による攪拌動作を行わずに、接着剤溜４３における接着剤の全体が十分に所定温度に達するまで待機すると、待機工程の時間が長くなる問題がある。
【００４６】
本発明は上記した課題を解決するものであり、接着剤溜における接着剤の温度および粘度を短時間のうちに均一化することができる製本装置を提供することを目的とする。
【課題を解決するための手段】
【００４７】
上記課題を解決するために、本発明の製本装置は、用紙束を挟持する挟持手段と、挟持手段により挟持した用紙束の背に熱溶融させた接着剤を塗布する接着剤塗布手段と、接着剤塗布手段を制御する制御手段を備え、接着剤塗布手段が塗布ユニットと塗布ユニットを用紙束の背に沿って移動させる塗布ユニット駆動装置とからなり、塗布ユニットが接着剤を貯留する接着剤溜と、接着剤溜の接着剤を加熱する加熱手段と、接着剤溜の接着剤の温度を測定する温度測定手段と、接着剤に一部が浸漬するように配置する塗布ローラと、塗布ローラを回転駆動する塗布ローラ回転モータを有し、制御手段が接着剤の粘度の適否を判定する粘度判定手段を有し、制御手段による接着剤塗布手段の制御において、加熱手段により接着剤溜の接着剤を塗布に適する所定の塗布温度に昇温させる間に、温度測定手段で測定する接着剤の温度が所定のウォームアップ温度に達した時に塗布ローラによる第一の攪拌制御を行い、粘度判定手段が接着剤の粘度を適合と判定した時に、塗布ローラによる第二の攪拌制御を行うことを特徴とする。
【００４８】
また、本発明の製本装置において、粘度判定手段は、塗布ローラもしくは塗布ローラ回転モータにおける回転数、トルクおよび塗布ローラ回転モータにおける消費電流の少なくとも何れか１つを検出する塗布ローラ回転状態検出器の検出値を指標として接着剤の粘度の適否を判定することを特徴とする。
【００４９】
また、本発明の製本装置において、塗布ローラ回転状態検出器は、固定部材に装着する光センサーと、塗布ローラもしくは塗布ローラ回転モータの回転軸と一体に回転して光センサーの光軸を遮光可能な遮光板とからなり、光センサーの信号に基づいて塗布ローラもしくは塗布ローラ回転モータの回転数を検出するものであり、粘度判定手段は、塗布ローラもしくは塗布ローラ回転モータの回転数が所定回転数に達した時に、接着剤の粘度を適合と判定して塗布ローラによる第二の攪拌制御を行うことを特徴とする。
【００５０】
また、本発明の製本装置において、塗布ローラ回転状態検出器は、固定部材に装着する光センサーと、塗布ローラもしくは塗布ローラ回転モータの回転軸と一体に回転して光センサーの光軸を遮光可能な遮光板とからなり、光センサーの信号に基づいて塗布ローラもしくは塗布ローラ回転モータの回転数を検出し、かつ光センサーの信号におけるパルス幅を計測し、粘度判定手段は、塗布ローラもしくは塗布ローラ回転モータの回転数が所定回転数に達し、かつパルス幅が所定範囲内にある時に、接着剤の粘度を適合と判定して塗布ローラによる第二の攪拌制御を行うことを特徴とする。
【００５１】
また、本発明の製本装置において、塗布ローラ回転状態検出器は、塗布ローラ回転モータの消費電流を検出する消費電流検出手段からなり、粘度判定手段は、消費電流検出手段で検出する消費電流が所定値以下になった時に、接着剤の粘度を適合と判定して塗布ローラによる第２の攪拌制御を行うことを特徴とする。
【００５２】
また、本発明の製本装置において、第１の攪拌制御および第２の攪拌制御は、塗布ローラ回転モータにより回転駆動する塗布ローラの回転数、トルクの少なくとも何れかを制御量とし、第１の攪拌制御と第２の攪拌制御とにおいて制御量の目標値が異なることを特徴とする。
【００５３】
また、本発明の製本装置において、塗布ローラのトルクの制御は、塗布ローラ回転モータへ加える印加エネルギーのパルス条件を可変制御して行うことを特徴とする。
【発明の効果】
【００５４】
以上のように本発明によれば、塗布ローラもしくは塗布ローラ回転モータにおける回転数、トルクおよび塗布ローラ回転モータにおける消費電流の少なくとも何れか１つを検出して指標とし、さらには回転数と合わせて光センサーの信号におけるパルス幅を計測して指標とし、検出した指標の値に基づいて接着剤の粘度の適否を判定するので、温度によって粘度が変化する接着剤を、その粘度に適した回転数で塗布ローラを回転させて攪拌することができ、接着剤を飛散させることなく、接着剤溜における接着剤の温度および粘度を短時間のうちに均一化することができる。
【００５５】
光センサーの信号におけるパルス信号から回転速度のみを検出する場合には、例えば接着剤の粘度が高くて回転させることができない状態においても、機構のガタツキ分などで僅かに振動した場合に、遮光板と光センサーの位置関係によってはパルスがカウントされることがある。このため、パルス幅も計測し、計測したパルス幅が所定の範囲内にあることを確認することによって、より好適な検出を行なうことが可能である。
【００５６】
また、組み立て時の調整の手間を省いてコストを抑制することができる。
【発明を実施するための最良の形態】
【００５７】
以下、本発明の実施の形態を図面に基づいて説明する。本実施の形態に係る製本装置は、その基本構成において先に図１６〜図２５において説明したものを同様に有しており、図１６〜図２５を参照することにより同じ構成要素には同符号を付してその詳細な説明を省略する。
（全体構成）
図１において、製本装置１は、本体ケーシング２の内部に接着剤塗布手段をなす塗布ユニット３（図７参照）、表紙圧着手段をなす圧着ユニット５およびシューター１７を配置しており、本体ケーシング２の上部に用紙束６を挟持する挟持手段をなすクランプ部７を配置している。本体ケーシング２の前部にはクランプ部７の操作ノブ１１（図１６参照）と、用紙束６の表紙１２（図１２〜１４参照）を配置する表紙台１３とを配置している。
（クランプ部）
図１９に示すように、クランプ部７は前後一対の平行な前フレーム２４と後フレーム２５で支持して配置しており、本体ケーシング２の上部開口２６から一部が外部へ突出する固定クランプ２７と可動クランプ２８を備え、固定クランプ２７および可動クランプ２８のそれぞれに用紙束保持部材２９を取外し可能に設けている。可動クランプ２８を挟持開放する操作機構は、図１９を参照することで詳細な説明を省略する。
（塗布ユニット）
図２１に示すように、塗布ユニット３はホットメルト接着剤を貯留する接着剤溜４３と、溶融した接着剤に一部が浸漬するように配置する塗布ローラ４４と、塗布ローラ４４を支持する回転軸４５と、回転軸４５を駆動する塗布ローラ回転モータ４６と、固定部材４７に装着した加熱手段としての電磁誘導コイル４８と、接着剤溜４３の接着剤温度（Ｔ２）を測定する温度測定手段をなす接着剤温度センサ７１（図５参照）と、塗布ローラ回転状態検出器７２（図５参照）とを有している。
【００５８】
塗布ローラ回転状態検出器７２は、塗布ローラもしくは塗布ローラ回転モータにおける回転数、トルクおよび塗布ローラ回転モータにおける消費電流の少なくとも何れか１つを検出するものであり、ここでは図１５に示す構成をなす。
【００５９】
つまり、塗布ローラ回転状態検出器７２は、塗布ユニット３の固定部材に装着する光センサー７４と、塗布ローラ４４もしくは塗布ローラ回転モータ４６の回転軸と一体に回転して光センサー７４の光軸を遮光可能な遮光板７３とからなり、光センサー７４の信号に基づいて塗布ローラ４４もしくは塗布ローラ回転モータ４６の回転数を検出する。
【００６０】
塗布ローラ回転状態検出器７２は、光センサー７４の信号に基づいて塗布ローラ４４もしくは塗布ローラ回転モータ４６の回転数を検出し、かつ光センサー７４の信号におけるパルス幅を計測する構成とすることも可能である。
【００６１】
さらに、塗布ローラ回転状態検出器７２は、塗布ローラ回転モータ４６の消費電流を検出する電流計（図示省略）等の消費電流検出手段で構成することも可能である。
接着剤溜４３は容器本体４９が熱伝導性に優れた非強磁性体であるアルミニウムからなり、底面に強磁性体の加熱板５０を設けている。
【００６２】
塗布ユニット３の他の構成は、図２１に示したものと同様であり、詳細な説明を省略する。
（圧着ユニット）
図１に示すように、圧着ユニット５はモーター等の駆動装置を有する圧着ユニット駆動装置５２によって上下、前後に移動する基部５３と、基部５３に固定した固定板５４と、固定板５４に固定配置した押え部５５と、固定板５４の上で押え部５５に対して接近離間する可動板５６と、可動板５６を駆動するボールネジ機構の可動板駆動装置５７と、可動板５６と可動板駆動装置５７の間に介装する圧着力制御装置５８（図２２を参照）を有しており、表紙台１３および可動シューター５９が一体的に移動する。本体ケーシング２の内部には圧着ユニット５の各停止位置を検知する圧着ユニット位置センサ６０（詳細省略図２３参照）を設けている。圧着力制御装置５８は図２０を参照することで詳細な説明を省略する。
（制御部）
図５に示すように、製本装置１は、製本操作を制御する制御部６５、装置内部の雰囲気温度もしくは室内温度（Ｔ１）を測定する温度測定手段をなす温度センサ６６を本体ケーシング２の内部に配置しており、制御部６５に用紙束厚センサ３６、接着剤溜位置センサ５１、圧着ユニット位置センサ６０、温度センサ６６、操作部１４、塗布ユニット駆動装置４２、圧着ユニット駆動装置５２、可動板駆動装置５７、クランプ駆動装置３７および、接着剤温度センサ７１を接続している。
【００６３】
また、制御部６５はタイマー手段をなすタイマー回路６７を有しており、タイマー回路６７は種々の用途に使用する。例えば、用紙束６に対する接着剤の塗布を完了した後に経過時間を計測する経過時間計測手段として使用する。あるいは塗布ローラ４４の回転時間の測定に使用する。
【００６４】
また、制御部６５は接着剤Ｓの粘度の適否を判定する粘度判定手段をなす判定回路７５を有している。粘度判定回路７５は、制御部６５に搭載する実装回路もしくはプログラムによる機能回路からなり、塗布ローラ回転状態検出器７２で検出する検出値を指標として接着剤の粘度の適否を判定する。
【００６５】
ここで、検出値としては、上述した塗布ローラ４４もしくは塗布ローラ回転モータ４６における回転数、トルクおよび塗布ローラ回転モータ４６における消費電流の少なくとも何れか１つである。
【００６６】
回転数は、その増加によって粘度の低下を推定することができる指標である。消費電流は、その低下によって粘度の低下を推定することができる指標である。トルクは、その低下によって粘度の低下を推定することができる指標であり、回転数の増減によって推定し、あるいは消費電流から推定し、さらには直接的にトルク計で測定することも可能である。
【００６７】
また、制御部６５は、タイマー６７により計測した経過時間が挟持必要時間に達したときに操作部１４の液晶表示部１８に「取出して下さい」の表示を指示する信号を出力する信号出力手段をなす信号出力回路６８を備えている。
【００６８】
信号出力回路６８は操作ノブ１１による駆動に代えてクランプ駆動装置３７によって可動クランプ２８を駆動する場合にはクランプ駆動装置３７に用紙束６の開放操作を指示する信号を出力する。
【００６９】
以下に上記の製本装置における作用を説明する。
（待機工程）
待機工程では、図１および図１２の（ａ）に示すように、初期状態において塗布ユニット３は待機位置にあり、電磁誘導コイル４８の上方に接着剤溜４３が対応している。図３に示すように、制御部６５はメインスイッチ１５のＯＮ操作を受けると、製本操作に先立ってウォームアップ操作（Ｓ１）を行う。
【００７０】
このウォームアップ操作（Ｓ１）では、塗布ユニット３の電磁誘導コイル４８に通電し、加熱板５０を発熱させて接着剤溜４３に貯留した接着剤を加熱して熱溶解させ、接着剤溜４３の接着剤を塗布に適する所定の塗布温度、ここでは１７５℃に昇温させる。この際に、塗布温度に達するまでの中間温度域に少なくとも１つのウォームアップ温度を設定する。ここでは、ウォームアップ温度として１３０℃を設定するが、複数のウォームアップ温度を設定することも可能である。
【００７１】
図２〜図４に示すように、接着剤温度センサ７１で測定する接着剤の温度がウォームアップ温度である１３０℃に達するまでは何らの操作を行わずに電磁誘導コイル４８による加熱だけを行なう（Ｓ２）。
【００７２】
次に、ウォームアップ温度である１３０℃に達した時に（Ｓ２）、第一の攪拌動作として所定の攪拌条件を満たす第一の攪拌制御（Ｓ３）、例えば塗布ローラ４４の正回転・逆回転制御を開始する。この第一の攪拌制御（Ｓ３）における塗布ローラ４４の回転数は、後述する第二の攪拌制御（Ｓ５）における回転数より低いものであり、接着剤Ｓの飛散が起こらない安全値を見越したものに設定しており、例えば所定時間継続するパルス駆動を行なう。
【００７３】
この間、塗布ローラ回転状態検出器７２は、光センサー７４の信号に基づいて塗布ローラ４４もしくは塗布ローラ回転モータ４６の回転数を検出する。
この際に、光センサー７４の信号におけるパルス幅を計測することも可能である。光センサーの信号におけるパルス信号から回転速度のみを検出する場合には、例えば接着剤の粘度が高くて回転させることができない状態においても、機構のガタツキ分などで僅かに振動した場合に、遮光板７３と光センサー７４の位置関係によってはパルスがカウントされることがある。このため、パルス幅も計測し、計測したパルス幅が所定の範囲内にあることを確認することによって、より好適な検出を行なうことが可能である。
【００７４】
次に、制御部６５の判定回路７５は、塗布ローラ４４もしくは塗布ローラ回転モータ４６の回転数が所定回転数に達した時に（本実施の形態では、接着剤の温度が約１５０℃に達している）、接着剤Ｓの粘度が適切な状態に適合するものと判定して塗布ローラ４４による第二の攪拌制御（Ｓ５）を行う。
【００７５】
第二の攪拌制御（Ｓ５）は、第二の攪拌動作として所定の攪拌条件を満たすものであり、例えば塗布ローラ４４の高速回転制御を行い、塗布温度が１７５℃に達するまで行なう（Ｓ６）。
【００７６】
第一の攪拌制御（Ｓ３）の正回転・逆回転制御では、塗布動作時の回転数よりも低い低回転数での塗布ローラ４４の正回転と逆回転とを交互に反復して行う。正回転および逆回転は数十ｍｓｅｃ〜数百ｍｓｅｃ程度の短時間の回転であり、本実施の形態では正回転の回転量より逆回転の回転量を少なく設定しており、回転量を規定する回転数と駆動時間の条件を違えている。しかし、どちらの回転量が多いかはここでは問題ではなく、正回転と逆回転とに回転量の差を設定することが重要である。
【００７７】
つまり、同じ回転量の正回転と逆回転を短時間ずつ行うと、塗布ローラ４４の同じ部位が常に気中に露出する状態となり、その結果、塗布ローラ４４の表面温度が不均一となる。しかし、正回転と逆回転とに回転量の差を設定することで、塗布ローラ４４が正回転方向もしくは逆回転方向の何れかへ僅かずつでも回転し、塗布ローラ４４の全面が気中と液中とにわたって回転し、塗布ローラ４４の表面温度が均一となる。
【００７８】
第二の攪拌制御（Ｓ５）の高速回転制御では、塗布動作時の回転数よりも高い高回転数で塗布ローラ４４の正回転と逆回転とを交互に反復して行う。
本実施の形態では、所定の攪拌条件として塗布ローラ４４の正回転と逆回転とを交互に反復して行うが、所定の攪拌条件には、塗布ローラ回転モータ４６により回転駆動する塗布ローラ４４のトルクの大きさを含めることができる。つまり、第一の攪拌制御（Ｓ３）に較べて第二の攪拌制御（Ｓ５）における塗布ローラ４４のトルクは大きくなる。この塗布ローラ４４のトルクの制御は、塗布ローラ回転モータ４６へ加える印加エネルギーのパルス条件を可変制御して行う。
【００７９】
例えば、塗布ローラ回転モータ４６としてＤＣモータを用いる場合には、１パルス当たりに供給する電流の通電時間を増減させることでトルクを制御する。また、ＤＣモータではなく、パルスモータを用いてもよく、その場合には、１パルス当たりの通電時間を増減するだけでなく、供給する電圧を増減させてトルクを制御する。
【００８０】
上述したウォームアップ操作（Ｓ１）において、所定の攪拌条件を満たす攪拌制御、つまり塗布ローラ４４の連続回転により一度に急激に攪拌することなく、塗布ローラ４４を正回転と逆回転とに交互に反復して回転させることで、塊状の接着剤の回動に起因する接着剤の飛散を防止しつつ、少しずつ適切な攪拌効果を与えることで接着剤の全体の温度および粘度の均一化を短時間で実現する。
【００８１】
また、接着剤の昇温過程の早い時期に攪拌を開始することで接着剤の過熱によるダメージを抑制できる。塗布ローラ４４は正回転と逆回転とにおいて少なくとも回転数と駆動時間の条件を違えて回転させることで攪拌効率が向上する。
【００８２】
塗布ローラ４４もしくは塗布ローラ回転モータ４６の回転数が所定回転数に達した時には、塊状物が解消する程度に接着剤が溶融する状態となっていると判断でき、塗布動作時の回転数よりも高い高回転数で塗布ローラ４４の正回転と逆回転を行なうことにより、接着剤の温度むらを早期に解消させて温度および粘度の均一化を促進する。
【００８３】
そして、接着剤温度センサ７１で測定する接着剤の温度が塗布温度１７５℃に達した時点でウォームアップ操作（Ｓ１）を終了して待機状態となる。
ここで、図２において、従来の技術における課題と本実施の形態における製本装置の作用効果とを説明する。
【００８４】
図２でＡは標準的な接着剤の温度変化を示している。しかしながら、先に述べたように、機器の加熱効率が優れているほどに、接着剤溜４３の壁体は全体が一様に、かつ早期に昇温してセンサーの検知温度が設定温度に達するまでの時間が短くなり、加熱時間が短くなる。また、センサーの感度が優れているほどに、センサーの検知温度が設定温度に達するまでの時間が短くなり、加熱時間が短くなる。この現象が図２でＢに示すものである。
【００８５】
加熱効率が劣っているほどに、センサーの検知温度が設定温度に達するまでの時間が長くなり、加熱時間が過剰に長くなり、待機工程の時間が長くなる。また、センサーの感度が劣っているほどに、センサーの検知温度が設定温度に達するまでの時間が長くなり、加熱時間が過剰に長くなり、待機工程の時間が長くなるとともに、加熱し過ぎて接着剤を劣化させるおそれがある。この現象が図２でＣに示すものである。
【００８６】
本実施の形態では何れの状態においても、塊状の接着剤の回動に起因する接着剤の飛散を防止しつつ、少しずつ適切な攪拌効果を与えることで接着剤の全体の温度および粘度の均一化を短時間で実現する。
【００８７】
次に、待機状態において、塗布ローラ４４は、例えば１０秒間回転し、１０秒間停止する動作を繰返しながら、無操作時間が設定値の１０分を経過するか否かを計測する（Ｓ７）。そして、無操作時間が設定値の１０分を経過しない間にスタートボタン１９のＯＮ操作（Ｓ８）を受けると制御部６５は製本操作（Ｓ９）に入る。
【００８８】
無操作時間が設定値の１０分を経過すると、ヒータＯＦＦ状態とするために電磁誘導コイル４８への通電を停止し、脱臭ファンＯＮ継続状態とするために脱臭ユニット４の脱臭ファンの運転を継続する（Ｓ１０）。そして、この状態が設定値の２０分を経過するか否かを計測し（Ｓ１１）、この状態が設定値の２０分を経過しない間にスタートボタン１９のＯＮ操作を受けると（Ｓ１２）、制御部６５はウォームアップ操作（Ｓ１）に戻り、設定値の２０分を経過すると自動電源ＯＦＦの状態（Ｓ１３）となり、制御を終了する。
【００８９】
製本操作（Ｓ９）に入ると、制御部６５は圧着ユニット駆動装置５２を駆動させて圧着ユニット５をクランプ部７の下方の上位の所定位置にまで上昇させ、圧着ユニット５の固定板５４をクランプ部７の固定クランプ２７および可動クランプ２８の下端との間に所定間隙をあけて配置するとともに、圧着ユニット５の押え部５５を固定クランプ２７よりも１ｍｍ程度後退した位置に配置する。
（揃え工程）
次に、図６および図１２の（ｂ）に示すように、用紙束６を双方の用紙束保持部材２９の間および固定クランプ２７と可動クランプ２８の間に挿入し、用紙束６の一側辺を固定板５４で揃える。
（クランプ工程）
次に、操作ノブ１１を回転操作し、シャフト３４の回転力を伝達ベルト３５介してネジシャフト３１に伝達し、同期ベルト３３を介して双方のネジシャフト３１を同期駆動し、ネジシャフト３１に螺合する保持部３２を移動させる。保持部３２の移動に伴って可動クランプ２８が固定クランプ２７に接近し、用紙束６を可動クランプ２８と固定クランプ２７の間に挟持する。
【００９０】
このとき、固定クランプ２７と可動クランプ２８が相対向する側に湾曲しており、固定クランプ２７と可動クランプ２８との距離が双方の中央位置Ｐで最も狭くなるように反り量が設定されているので、ネジシャフト３１に螺合する保持部３２で可動クランプ２８の両端を押圧することで、可動クランプ２８および固定クランプ２７の中央部に十分な押圧力が作用し、用紙束６を揃えた状に乱れることなく保持できる。
【００９１】
用紙束厚センサ３６は、固定クランプ２７と可動クランプ２８の間に用紙束６を挟持した状態で、固定クランプ２７と可動クランプ２８の相対位置（距離）に基づいて用紙束厚を検知する。
（糊付け工程）
次に、図７に示すように、用紙束６の挟持が完了した後に、再度のスタートボタン１９のＯＮ操作を受けると制御部６５は圧着ユニット駆動装置５２を駆動させて圧着ユニット５を下位の所定位置まで降下させる。
【００９２】
くるみ製本を行う場合に制御部６５は、表紙台１３に表紙１２を載置して再度のスタートボタン１９のＯＮ操作を受けるまで待機して後に糊付け操作に入り、天糊製本を行う場合には再度のスタートボタン１９のＯＮ操作を受けずに糊付け操作に入る。
（天糊製本の糊付け工程）
天糊製本において糊付けを行なう場合に、制御部６５は、塗布ユニット駆動装置４２を駆動して塗布ユニット３をレール３９およびレールシャフト４１に沿って往復移動させながら、塗布ローラ４４の回転によって接着剤溜４３の接着剤を用紙束６の背に往路と復路の両方で塗布する。天糊製本における排出工程は先に説明したものと同様であり、詳細な説明は省略する。
（くるみ製本の糊付け工程）
くるみ製本において糊付けを行なう場合に、制御部６５は、表紙台１３に表紙１２を載置して再度のスタートボタン１９のＯＮ操作を受けると、図８および図１２の（ｃ）に示すように、糊付け操作に入る。
【００９３】
この糊付け操作において制御部６５は、塗布ユニット駆動装置４２を駆動して塗布ユニット３をレール３９およびレールシャフト４１に沿って往復移動させながら、塗布ローラ４４の回転によって接着剤溜４３の接着剤を用紙束６の背に往路と復路の両方で塗布する。
（くるみ製本工程）
図１２の（ｄ）に示すように塗布ユニット３が待機位置に戻ると、図１３の（ａ）に示すように、制御部６５は、圧着ユニット駆動装置５２を駆動させて圧着ユニット５を上昇させる。このとき、押え部５５と可動板５６とを用紙束６と当接しないセット位置に配置した状態で、接着剤Ｓを塗布した用紙束６の背に固定板５４を接近させる。
【００９４】
さらに、制御部６５は、図９および図１３の（ｂ）に示すように、圧着ユニット駆動装置５２を駆動させて圧着ユニット５を上位の所定位置まで上昇させて接着剤Ｓを塗布した用紙束６の背に対して固定板５４を対向配置し、表紙台１３に載せた表紙１２を固定板５４で用紙束６の背に押圧する。
【００９５】
この操作において、セット位置にある押え部５５と可動板５６は用紙束６の両側のノドの部分からは離間した状態にあり、表紙１２が用紙束６の両側のノドの部分から離れているので、接着剤Ｓを塗布した用紙束６の背に対して固定板５４を対向配置する際に、表紙１２を介して固定板５４に押圧される接着剤Ｓはその広がりを阻害されることなく、用紙束６の両側において表紙１２の上に広がる。
【００９６】
上述の操作において、制御部６５は、用紙束厚検出手段をなす用紙束厚センサ３６で検出した用紙束６の厚みに応じて用紙束６の背に対する固定板５４の位置を変更調整する。この用紙束６の厚みの識別は、少なくとも２段階以上の多段階的に区分範囲を設定して行うが、設定する区分範囲の幅を微小にすれば、実質的に連続した厚みの識別が可能であり、用紙束厚センサ３６の検出値を直接に利用すれば全く連続した厚みの識別が可能である。
【００９７】
例えば、用紙束６の厚みに２段階の区分範囲を設定し、初期設定において圧着ユニット５の上位の所定位置における固定板５４の上昇位置（基準位置）が用紙束６の厚みが中間値より大きい区分範囲に対応するように設定されている場合に、用紙束厚センサ３６で検出した用紙束６の厚みが中間値より小さい区分範囲であると識別した場合には、固定板５４の上昇位置を基準位置よりも低い位置に変更調整することで、用紙束６の背および接着剤Ｓに対する押圧力を弱め、用紙束６の撓みを防止する。
【００９８】
次に、制御部６５は押え部５５と可動板５６とを用紙束６および表紙１２を介して対向するセット位置から相互に接近させる。押え部５５の接近は圧着ユニット駆動装置５２による圧着ユニット５の移動によって行い、可動板５６の接近は可動板駆動装置５７による可動板５６の移動によって行なう。
【００９９】
この際に、図１４の（ａ）に示すように、制御部６５は、押え部５５の移動開始前に可動板駆動装置５７を駆動して可動板５６を押え部５５に向けて移動させ、可動板５６を圧着開始位置に配置する。その後、図１０および図１４の（ｂ）に示すように、押え部５５と可動板５６とを固定クランプ２７および可動クランプ２８と面一となる位置まで同時に相互に接近させ、押え部５５と可動板５６とで用紙束６の両側のノドに表紙１２を圧着することで、表紙１２の上に広がった接着剤Ｓおよび先に糊付け工程で用紙束６のノドに塗布した接着剤Ｓが用紙束６のノドに押し広げられて表紙１２がノドに確実に接着される。
【０１００】
次に、制御部６５は、可動板５６と押え部５５の間で表紙１２および用紙束６を圧着する状態を継続しつつ、タイマー回路６７で用紙束６に対する接着剤の塗布を完了した後の経過時間を計測し、経過時間が圧着必要時間に達すると、図１１に示すように、可動板駆動装置５７を駆動して可動板５６を後退させて圧着状態を開放し、圧着ユニット駆動装置５２を駆動させて圧着ユニット５を表紙台１３および可動シューター５９と一体的に下位の所定位置まで降下させ、続いて圧着ユニット５を表紙台１３および可動シューター５９と一体的に所定位置まで後退させて可動シューター５９をシューター１７に対応させる。（排出工程）
次に、制御部６５は信号出力回路６８から操作部１４の液晶表示部１８に「取出して下さい」等の製本完了を通知する文言の表示を指示する信号を出力する。排出操作は先に図２６において説明したものと同様であり、詳細な説明を省略する。
【図面の簡単な説明】
【０１０１】
【図１】本発明の実施の形態における製本装置を示す断面図
【図２】同製本装置の塗布ユニットにおける接着剤の温度変化を示すグラフ図
【図３】同塗布ユニットの待機工程の制御手順を示すフローチャート図
【図４】ウォームアップ操作の制御手順を示すフローチャート図
【図５】同製本装置の構成を示すブロック図
【図６】同製本装置の揃え工程を示す断面図
【図７】同製本装置の糊付け工程を示す断面図
【図８】同製本装置の糊付け工程を示す断面図
【図９】同製本装置のくるみ製本工程を示す断面図
【図１０】同製本装置のくるみ製本工程を示す断面図
【図１１】同製本装置のくるみ製本工程を示す断面図
【図１２】同製本装置の製本動作を説明する模式図
【図１３】同製本装置の製本動作を説明する模式図
【図１４】同製本装置の製本動作を説明する模式図
【図１５】同製本装置の塗布ユニットを示す平面図
【図１６】従来の製本装置を示す斜視図
【図１７】同製本装置の正面図
【図１８】同製本装置の側面図
【図１９】同製本装置のクランプ部を示す平面図
【図２０】同製本装置のクランプ部を示す正面図
【図２１】同製本装置の塗布ユニットを示す側面図
【図２２】同製本装置の圧着ユニットの側面図
【図２３】同製本装置の構成を示すブロック図
【図２４】同製本装置の製本動作を説明する模式図
【図２５】同製本装置の製本を排出する動作を説明する模式図
【符号の説明】
【０１０２】
Ｓ    接着剤
１    製本装置
２    本体ケーシング
３    塗布ユニット
４    脱臭ユニット
５    圧着ユニット
６    用紙束
７    クランプ部
８    ホットメルト接着剤
９    接着剤供給ユニット
１０    ホッパー
１１    操作ノブ
１２    表紙
１３    表紙台
１４    操作部
１５    メインスイッチ
１６    前扉
１７    シューター
１８    液晶表示部
１９    スタートボタン
２０    ストップ／電源切ボタン
２１、２２  選択ボタン
２３    設定ボタン
２４    前フレーム
２５    後フレーム
２６    上部開口
２７    固定クランプ
２８    可動クランプ
２９    用紙束保持部材
３０    ガイドシャフト
３１    ネジシャフト
３２    保持部
３３    同期ベルト
３４    シャフト
３５    伝達ベルト
３６    用紙束厚センサ
３７    クランプ駆動装置
３８    走行ローラ
３９    レール
４０    案内部
４１    レールシャフト
４２    塗布ユニット駆動装置
４３    接着剤溜
４４    塗布ローラ
４５    回転軸
４６    塗布ローラ回転モータ
４７    固定部材
４８    電磁誘導コイル
４９    容器本体
５０    加熱板
５１    接着剤溜位置センサ
５２    圧着ユニット駆動装置
５３    基部
５４    固定板
５７    可動板駆動装置
５８    圧着力制御装置
５９    可動シューター
６０    圧着ユニット位置センサ
６１    固定ブロック
６２    連結シャフト
６３    可動ブロック
６４    スプリング
６５    制御部
６６    温度センサ
６７    タイマー回路
６８    信号出力回路
７１    接着剤温度センサ
７２    塗布ローラ回転状態検出器
７３    遮光板
７４    光センサー
７５    判定回路
【図１】
0005159380.tif 000002
【図２】
0005159380.tif 000003
【図３】
0005159380.tif 000004
【図４】
0005159380.tif 000005
【図５】
0005159380.tif 000006
【図６】
0005159380.tif 000007
【図７】
0005159380.tif 000008
【図８】
0005159380.tif 000009
【図９】
0005159380.tif 000010
【図１０】
0005159380.tif 000011
【図１１】
0005159380.tif 000012
【図１２】
0005159380.tif 000013
【図１３】
0005159380.tif 000014
【図１４】
0005159380.tif 000015
【図１５】
0005159380.tif 000016
【図１６】
0005159380.tif 000017
【図１７】
0005159380.tif 000018
【図１８】
0005159380.tif 000019
【図１９】
0005159380.tif 000020
【図２０】
0005159380.tif 000021
【図２１】
0005159380.tif 000022
【図２２】
0005159380.tif 000023
【図２３】
0005159380.tif 000024
【図２４】
0005159380.tif 000025
【図２５】
0005159380.tif 000026